(57)【要約】    【課題】  防塵キャップや目当てキャップの紛失を防止することができる接眼レンズキャップ、望遠鏡及び顕微鏡を提供する。    【解決手段】  目当てキャップ２０と防塵キャップ３０とで接眼レンズキャップ１０を構成する。目当てキャップ２０は接眼レンズ３に着脱可能であって、接眼レンズ３と瞳との位置関係を一定に保つとともに、外光を遮断する。防塵キャップ３０は目当てキャップ２０の出射側端部２３の中心部に形成された開口部２４に着脱可能である。【選択図】  図２
2007017515.tif 000002
【特許請求の範囲】
【請求項１】
接眼レンズに着脱可能であって、その接眼レンズと瞳との位置関係を一定に保つとともに、外光を遮断する目当てキャップと、
前記目当てキャップに着脱可能な防塵キャップと
を備えていることを特徴とする接眼レンズキャップ。
【請求項２】
前記防塵キャップの装着位置は、前記目当てキャップの出射側端部の中心部に形成された、前記目当てキャップの外径より小さい径の開口部であり、
前記防塵キャップを前記目当てキャップに取り付けたとき、前記目当てキャップの装着部の外周が露出している
ことを特徴とする請求項１記載の接眼レンズキャップ。
【請求項３】
前記目当てキャップの出射側端部が伸縮可能であることを特徴とする請求項１又は２記載の接眼レンズキャップ。
【請求項４】
前記目当てキャップが前記接眼レンズの光軸方向へスライド可能であることを特徴とする請求項１又は２記載の接眼レンズキャップ。
【請求項５】
請求項１〜４のいずれか１項記載の接眼レンズキャップを備えていることを特徴とする望遠鏡又は顕微鏡。
【発明の詳細な説明】
【技術分野】
【０００１】
この発明は接眼レンズキャップ、望遠鏡及び顕微鏡に関する。
【背景技術】
【０００２】
望遠鏡や顕微鏡等の接眼レンズには、外光の浸入を防止したり、接眼レンズと目との位置関係を一定に保ち易くしたりすること等を目的として目当てキャップ（アイカップ）が装着される。
【０００３】
望遠鏡、顕微鏡等で観察している画像を撮影する方法の１つとしてコリメータ方式による写真撮影が最近行われている。コリメータ方式による写真撮影では望遠鏡、顕微鏡等の接眼レンズが写真撮影に兼用される。
【０００４】
望遠鏡や顕微鏡で観察している画像を撮影するには、カメラを装着した望遠鏡や顕微鏡の撮影レンズから目当てキャップを外し、例えば接眼レンズの外周面に設けられたおねじをカメラ側の撮影レンズの内周面に設けられためねじに螺合する。その後、カメラのピントをほぼ無限遠に設定するとともに、接眼レンズの光軸をカメラ側の撮影レンズの光軸に一致させる。
【０００５】
そして、望遠鏡や顕微鏡等を使用しないとき（例えば収納時）は、目当てキャップに防塵キャップ（保護キャップ）を装着し、接眼レンズへのほこりの付着を防止している。
【特許文献１】特開２００１−１３５４６号公報
【発明の開示】
【発明が解決しようとする課題】
【０００６】
ところで、目当てキャップは通常接眼レンズから外れないように、接眼レンズの鏡筒に強固に嵌合されている。また、目当てキャップに防塵キャップが装着されているとき、防塵キャップの鍔部が接眼レンズと目当てキャップとの嵌合部近傍まで延びているので、目当てキャップの外部へ露出する部分は僅かであり（上記公報図２参照）、目当てキャップを手でつかみ難く、両キャップを外し難い。
【０００７】
これに対し、観察時には目当てキャップから防塵キャップを外す必要があるため、通常目当てキャップから外れ易いように、防塵キャップは目当てキャップに緩く嵌合されている。
【０００８】
その結果、両キャップを同時に外そうとすると、目当てキャップが外れる前に防塵キャップが外れてしまう。
【０００９】
したがって、外された目当てキャップと防塵キャップとは別々に保管されることが多く、防塵キャップや目当てキャップを紛失し易いという問題があった。
【００１０】
この発明はこのような事情に鑑みてなされたもので、その課題は防塵キャップや目当てキャップの紛失を防止することができる接眼レンズキャップ、望遠鏡及び顕微鏡を提供することである。
【課題を解決するための手段】
【００１１】
上記課題を解決するため請求項１記載の発明は、接眼レンズに着脱可能であって、その接眼レンズと瞳との位置関係を一定に保つとともに、外光を遮断する目当てキャップと、前記目当てキャップに着脱可能な防塵キャップとを備えていることを特徴とする。
【発明の効果】
【００１２】
この発明によれば、防塵キャップや目当てキャップの紛失を防止することができる。
【発明を実施するための最良の形態】
【００１３】
以下、この発明の実施の形態を図面に基いて説明する。
【００１４】
図１はこの発明に係る接眼レンズキャップが装着される望遠鏡の斜視図である。
【００１５】
望遠鏡１は本体２と本体２の後部に結合された接眼レンズ３とを備える。本体２は筒状の筐体４と筐体４の前部に保持された対物レンズ５と対物レンズ５の焦点位置に配置された視野絞り（図示せず）等とを備える。
【００１６】
接眼レンズ３は視野絞り付近に結像された観察像を拡大して見るためのものである。接眼レンズ３に後述する接眼レンズキャップ１０が取り付けられる。
【００１７】
図２はこの発明の第１実施形態に係る接眼レンズキャップを接眼レンズに装着した状態を示す断面図である。
【００１８】
接眼レンズキャップ１０は目当てキャップ２０と防塵キャップ３０とを備えている。
【００１９】
目当てキャップ２０は変形し易い軟質ゴムや軟質合成樹脂材で成形されている。目当てキャップ２０は装着部２１と目当て部２２とを有する。装着部２１は望遠鏡１（図１参照）の接眼鏡筒３Ａに着脱可能である。なお、接眼レンズ３は円筒状の接眼鏡筒３Ａ、これに保持されるレンズ３Ｂ等で構成される。
【００２０】
目当て部２２は装着部２１と一体に形成され、外乱光が目に入るのを防止する。目当て部２２は蛇腹状であり、光軸方向Ｌ（図３参照）へ伸縮可能である。図２では目当て部２２は折り畳まれ、接眼鏡筒３Ａの端面に形成された環状の空間部３Ａａに収容されている。目当て部２２の出射側端部２３を瞳ｂの位置まで引き出すことができる（図３（ａ）参照）。目当て部２２の出射側端部２３の中心部には目当てキャップ２０の装着部２１の外径より小径の開口部２４が形成されている。
【００２１】
開口部２４を塞ぐ防塵キャップ３０はプラスチックや硬質のゴム等で成形されている。
【００２２】
防塵キャップ３０は円板部３１とその一方の面に一体成形された筒部３２とを備えている。筒部３２は開口部２４に緩く嵌合されている。円板部３１の直径は目当てキャップ２０の出射側端部２３の外径より小さい。
【００２３】
次に、接眼レンズキャップ１０の使用態様について説明する。
【００２４】
図３（ａ），（ｂ）は接眼レンズキャップの使用状態を示す断面図である。
【００２５】
図３（ａ）は裸眼時における接眼レンズキャップ１０の使用状態を示す。
【００２６】
裸眼時には、目当て部２２の出射側端部２３をアイレリーフ（レンズの表面の頂点ａと瞳ｂとの距離）ＥＲに相当する距離だけ引き出し、目当て部２２の出射側端部２３に目Ｅを当てればよい。このとき、目当て部２２は不必要な外光を遮るためのフードとして機能し、外乱光が目Ｅに入ることはない。
【００２７】
図３（ｂ）は眼鏡使用時における目当てキャップ１０の使用状態を示す。
【００２８】
眼鏡使用時には、目当て部２２の出射側端部２３を引き出さないで、出射側端部２３に眼鏡のレンズＳＬを当てればよい。このとき、瞳ｂはアイレリーフＥＲに相当する距離だけ離れた位置にある。
【００２９】
次に、望遠鏡１を用いて写真撮影する方法を説明する。
【００３０】
図４はカメラを接眼レンズに装着した状態を示す断面図である。
【００３１】
望遠鏡や顕微鏡で観察している画像を写真撮影するには、接眼レンズ３から目当てキャップ２０を外し、防塵キャップ３０とともに所定の場所に保管する。
【００３２】
目当てキャップ２０を外すときは、目当てキャップ２０を指で把持し、光軸Ｌ（図３参照）方向へ引き出せばよい。防塵キャップ３０が目当てキャップ２０に装着されているときには防塵キャップ３０を目当てキャップ２０とともに接眼レンズ３から外すことができる。
【００３３】
望遠鏡１（図１参照）の接眼レンズ３の後方にはカメラアダプタ４０を介してカメラ７が配置されている。
【００３４】
カメラアダプタ４０は大径部４１と小径部４２とを有する。
【００３５】
大径部４１の内径は接眼鏡筒３Ａの外径より僅かに大きい。大径部４１には光軸Ｌに直交する方向へ締め込み可能なカメラアダプタ固定ねじ４５が設けられている。カメラアダプタ固定ねじ４５にはカメラアダプタ固定ねじ４５の脱落を防止するためのねじ脱落防止金具４６が取り付けられている。
【００３６】
また、大径部４１は、接眼鏡筒３Ａのカメラ側端面と対向し、接眼レンズ３の挿入量を規制する規制部４１ａを有する。
【００３７】
小径部４２のカメラ側端部の内周面には例えばカメラ７に形成されたおねじ（図示せず）と螺合するめねじ（図示せず）が形成されている。
【００３８】
望遠鏡１にカメラ７を装着するには、まず、接眼レンズキャップ１０を接眼レンズ３から外す。その後、カメラアダプタ４０の小径部４２をカメラ７のめねじにねじ込んでカメラアダプタ４０をカメラ７に取り付ける。次に、望遠鏡１の接眼レンズ３のカメラ側端面を規制部４１ａに当接するまで大径部４１に挿入する。最後に、カメラアダプタ固定ねじ４５を締め込み、接眼レンズ３にカメラアダプタ４０を固定する。
【００３９】
なお、カメラアダプタ４０と接眼レンズ３との結合方法に関し、カメラアダプタ固定ねじ４５に代えて例えば接眼鏡筒３Ａの外周面に設けられたおねじをカメラアダプタ４０の大径部４１の内周面に設けられためねじに螺合するようにしてもよい。
【００４０】
この実施形態によれば、目当てキャップ２０の外周面全体が常に広く露出しており、目当てキャップ２０をつかみ易く、目当てキャップ２０を接眼レンズ３から外すときに防塵キャップ３０が分離しないので、目当てキャップ２０と防塵キャップ３０とは一緒に接眼レンズ３から外すことができ、紛失し難くなる。また、目当てキャップ２０をつかんで光軸Ｌ方向へ引っ張るだけでよいので、撮影を行う際の作業性が向上する。更に、本実施の形態では、円板部３１の直径が目当てキャップ２０の出射側端部２３の外形より小さいので、接眼レンズキャップ１０が小型化し、携帯に便利である。
【００４１】
図５（ａ），（ｂ）はこの発明の第１実施形態の変形例に係る接眼レンズキャップの側面図であり、第１実施形態と共通する部分には同一符合を付してその説明を省略する。
【００４２】
この変形例は目当てキャップ２０と防塵キャップ３０とを紐（連結手段）５０によって連結した点で第１実施形態と相違する。
【００４３】
接眼レンズキャップ１１０は、目当てキャップ２０と防塵キャップ３０との他に、それらのキャップ２０，３０を連結する紐５０を備えている。
【００４４】
図５（ａ）は防塵キャップ３０を目当てキャップ２０に装着した状態を示す。図５（ｂ）は防塵キャップ３０を目当てキャップ２０から外した状態を示す。このときも防塵キャップ３０は目当てキャップ２０から分離されない。
【００４５】
この変形例によれば、第１実施形態と同様の効果を奏するとともに、目当てキャップ２０と防塵キャップ３０とが紐５０で連結されているので、より確実に目当てキャップ２０や防塵キャップ３０の紛失を防止できる。紐５０は目当てキャップ２０に対し、回動可能に取り付けるのが好ましい。
【００４６】
図６はこの発明の第２実施形態に係る接眼レンズキャップを接眼レンズに装着した状態を示す断面図であり、第１実施形態と共通する部分には同一符合を付してその説明を省略する。
【００４７】
接眼レンズキャップ２１０は変形し易い軟質ゴムや軟質合成樹脂材で成形されている。接眼レンズキャップ２１０は目当てキャップ２２０と防塵キャップ２３０とを備えている。
【００４８】
目当てキャップ２２０は円筒状であり、接眼鏡筒３Ａの外周面上を接眼レンズ３の光軸Ｌ方向へ摺動可能である。図６は接眼レンズキャップ２１０を最も押し込んだ状態を示す。
【００４９】
目当てキャップ２２０の一端部（入射側端部）の内周面には、接眼鏡筒３Ａの外周面に設けられた環状溝３Ａｂの底面上を光軸Ｌ方向へ摺動可能な環状のスライド部２２１が一体に形成されている。
【００５０】
目当てキャップ２２０の他端部（出射側端部）の内周面には、接眼鏡筒３Ａのカメラ側端面と対向する環状の円板部２２２が一体に形成されている。円板部２２２の中心部には接眼レンズ３から離れる方向へ延びる円筒部２２３が一体に形成されている。円筒部２２３に形成された開口部２２４の径は目当てキャップ２２０の円板部２２２の外径より小さい。円筒部２２３の高さは眼鏡使用者がアイレリーフを得るために必要な寸法に設定されている。
【００５１】
開口部２２４を塞ぐ防塵キャップ２３０はプラスチックや硬質のゴム等で成形されている。防塵キャップ２３０は円板部２３１とその一方の面に一体成形された筒部２３２とを備えている。筒部２３２は円筒部２２３に緩く嵌合されている。防塵キャップ２３０（円板部２３１）の直径は円筒部２２３の外径より小さい。
【００５２】
図７は眼鏡使用時における接眼レンズキャップの使用方法を説明するための断面図である。
【００５３】
眼鏡使用時には、目当てキャップ２２０を引き出さないで、円筒部２２３に眼鏡のレンズＳＬを当てればよい。このとき、瞳ｂはアイレリーフＥＲに相当する距離だけ最も出射側に位置するレンズ３Ｂの出射側表面の中心点ａから離れた位置にある。
【００５４】
図８（ａ）は裸眼時における接眼レンズキャップの使用方法を説明するための断面図、図８（ｂ）は図８（ａ）の８ｂ−８ｂ線に沿う断面図である。
【００５５】
裸眼時には、目当てキャップ２２０をアイレリーフＥＲに相当する距離だけ引き出し、円筒部２２３に目Ｅを当てればよい。このとき、目当てキャップ２２０は不必要な外光を遮るためのフードとして機能する。
【００５６】
なお、目当てキャップ２２０をスムーズに引き出すことができるように、スライド部２２１には、接眼鏡筒３Ａと目当てキャップ２２０とで形成される空間Ｓ（図７参照）内の空気を外部へ逃がす複数の通気穴２２１ａが形成されている（図８（ｂ）参照）。
【００５７】
この実施形態によれば、第１実施形態と同様の効果を奏する。
【００５８】
図９（ａ），（ｂ）はこの発明の第２実施形態の変形例に係る接眼レンズキャップの側面図であり、第２実施形態と共通する部分には同一符号を付してその説明を省略する。
【００５９】
この変形例は目当てキャップ２２０と防塵キャップ２３０とを紐５０によって連結し、目当てキャップ２２０と防塵キャップ２３０とを１部品とした点で第２実施形態と相違する。
【００６０】
接眼レンズキャップ２１０は、目当てキャップ２２０と防塵キャップ２３０との他に、それらのキャップ２２０，２３０を連結する紐（連結手段）５０を備えている。
【００６１】
図９（ａ）は防塵キャップ２３０を目当てキャップ２２０に装着したときの状態を示す。図９（ｂ）は防塵キャップ２３０を目当てキャップ２２０から外したときの状態を示す。このときも防塵キャップ２３０は目当てキャップ２２０から分離されない。
【００６２】
この変形例によれば、第１実施形態と同様の効果を奏するとともに、目当てキャップ２２０と防塵キャップ２３０とが紐５０で連結されているので、より確実に目当てキャップ２２０や防塵キャップ２３０の紛失を防止できる。
【００６３】
なお、上記実施形態等では接眼レンズキャップを望遠鏡に装着した場合を例に挙げて説明したが、接眼レンズキャップを例えば顕微鏡に装着するようにしてもよい。
【図面の簡単な説明】
【００６４】
【図１】図１はこの発明に係る接眼レンズキャップが装着される望遠鏡の斜視図である。
【図２】図２はこの発明の第１実施形態に係る接眼レンズキャップを接眼レンズに装着した状態を示す断面図である。
【図３】図３（ａ），（ｂ）は接眼レンズキャップの使用状態を示す断面図である。
【図４】図４はカメラを接眼レンズに装着した状態を示す断面図である。
【図５】図５（ａ），（ｂ）はこの発明の第１実施形態の変形例に係る接眼レンズキャップの側面図である。
【図６】図６はこの発明の第２実施形態に係る接眼レンズキャップを接眼レンズに装着した状態を示す断面図である。
【図７】図７は眼鏡使用時における接眼レンズキャップの使用方法を説明するための断面図である。
【図８】図８（ａ）は裸眼時における接眼レンズキャップの使用方法を説明するための断面図、図８（ｂ）は図８（ａ）の８ｂ−８ｂ線に沿う断面図である。
【図９】図９（ａ），（ｂ）はこの発明の第２実施形態の変形例に係る接眼レンズキャップの側面図である。
【符号の説明】
【００６５】
１：望遠鏡、３：接眼レンズ、１０，２１０：接眼レンズキャップ、２０，２２０：目当てキャップ、２３：出射側端部、２４，２２４：開口部、３０，２３０：防塵キャップ、５０：紐（連結手段）、Ｌ：光軸。
【図１】
2007017515.tif 000003
【図２】
2007017515.tif 000004
【図３】
2007017515.tif 000005
【図４】
2007017515.tif 000006
【図５】
2007017515.tif 000007
【図６】
2007017515.tif 000008
【図７】
2007017515.tif 000009
【図８】
2007017515.tif 000010
【図９】
2007017515.tif 000011